(57)【要約】  本発明の実施形態は、アンテナ及びアンテナ付き端末を開示し、アンテナ設計の分野に係り、９６０ＭＨｚ〜１７１０ＭＨｚの周波数帯に関連する応用の追加を実現する。アンテナはストリップ状平面アンテナであり、中間周波ブランチ、高周波ブランチ、及び低周波ブランチを含み、中間周波ブランチ、高周波ブランチ、及び低周波ブランチが互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置され、給電点接続ライン、第一の接地点接続ライン及び第二の接地点接続ラインがアンテナの同じ側に配置される。本発明の実施形態によって提供されるアンテナ及びアンテナ付き端末は、通信用アンテナを用いるデバイスに適用可能である。
2013543354.tif 000002
【特許請求の範囲】
【請求項１】
平面アンテナ状のアンテナであって、中間周波ブランチと、高周波ブランチと、低周波ブランチとを備え、前記中間周波ブランチと、前記高周波ブランチと、前記低周波ブランチとが互いに独立していて、前記高周波ブランチ及び前記低周波ブランチが前記中間周波ブランチを取り囲み、給電点接続ラインが前記中間周波ブランチ上に配置されていて、第一の接地点接続ラインが前記高周波ブランチ上に配置されていて、第二の接地点接続ラインが前記低周波ブランチ上に配置されていて、前記給電点接続ラインと、前記第一の接地点接続ラインと、前記第二の接地点接続ラインとがアンテナの同じ側に配置されている、アンテナ。
【請求項２】
前記中間周波ブランチ及び前記高周波ブランチの両方が面状であり、前記低周波ブランチが弧状の底辺備えたＵ字型、又は折れ線状である、請求項１に記載のアンテナ。
【請求項３】
前記中間周波ブランチ及び前記高周波ブランチの両方が細長の面状であり、前記中間周波ブランチ及び前記高周波ブランチが隣り合って配置されていて、前記中間周波ブランチの長辺が、前記高周波ブランチの長辺に隣接している、請求項２に記載のアンテナ。
【請求項４】
前記中間周波ブランチが正方形であり、前記高周波ブランチが細長の面状であり、前記中間周波ブランチ及び前記高周波ブランチが隣り合って配置され、前記中間周波ブランチの一辺が、前記高周波ブランチの長辺に隣接している、請求項２に記載のアンテナ。
【請求項５】
前記中間周波ブランチが中空の中間周波ブランチである、請求項１から４のいずれか一項に記載のアンテナ。
【請求項６】
前記高周波ブランチが中空の高周波ブランチである、請求項５に記載のアンテナ。
【請求項７】
突起が、前記高周波ブランチと前記低周波ブランチとの間において前記中間周波ブランチ上に配置されて、前記突起が、前記給電点接続ラインの反対側の前記中間周波ブランチの一辺に配置されている、請求項１から４のいずれか一項に記載のアンテナ。
【請求項８】
突起が、前記高周波ブランチと前記低周波ブランチとの間において前記中間周波ブランチ上に配置されて、前記突起が、前記給電点接続ラインの反対側の前記中間周波ブランチの一辺に配置されている、請求項６に記載のアンテナ。
【請求項９】
無線周波ユニットを備えたアンテナ付き端末であって、前記アンテナ付き端末の無線周波ユニットが請求項１から６のいずれか一項に記載のアンテナを備える、アンテナ付き端末。
【発明の詳細な説明】
【技術分野】
【０００１】
［関連出願の相互参照］
本願は、“アンテナ及びアンテナ付き端末”との名称で２０１０年１１月２２日に中国特許庁に提出された中国特許出願第２０１０１０５５５６５６．１号の優先権を主張し、その出願の全体は参照として本願に組み込まれる。
【０００２】
本発明は、アンテナ設計の分野に係り、特に、アンテナ及びアンテナ付き端末に関する。
【背景技術】
【０００３】
現在では、携帯電話やデータカード等のアンテナ付き端末に使用されるアンテナの多くは、モノポールアンテナ、ＩＦＡアンテナ、又はＰＩＦＡ形式のもの（逆Ｆアンテナ）であり、各アンテナの動作周波数帯は８２４ＭＨｚから９６０ＭＨｚの間と、１７１０ＭＨｚと２１７０ＭＨｚの間である。
【０００４】
本発明の実施形態を実現する過程において、本発明者は、従来のアンテナの高周波共振及び低周波共振が、１８００周波数帯、１９００周波数帯、及び２１００周波数帯の三つの周波数帯を含み得ることを発見した。図１に示されるように、アンテナの反射損失を試験したＳ１１図において、番号１は低周波共振部を示し、番号３及び４は高周波共振部を示し、明確なバンプ部２が高周波共振と低周波共振との間に存在し、バンプ部２のアンテナ効率は一般的に比較的低い。そのため、アンテナは９６０ＭＨｚと１７１０ＭＨｚとの間の周波数帯ギャップを有する。９６０ＭＨｚと１７１０ＭＨｚの間の周波数帯に関連する応用をどのようにして追加するのかが、解決すべき課題になっている。
【発明の概要】
【発明が解決しようとする課題】
【０００５】
本発明の実施形態によって提供されるアンテナは、９６０ＭＨｚから１７１０ＭＨｚの間の周波数帯に関連する応用を追加するために用いられる。
【０００６】
上記課題を達成するため、本発明の実施形態は以下の技術的解決策を採用する。
【課題を解決するための手段】
【０００７】
アンテナは、平面アンテナであり、中間周波ブランチと、高周波ブランチと、低周波ブランチとを含み、中間周波ブランチと、高周波ブランチと、低周波ブランチとは互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置され、給電点接続ラインと、第一の接地点接続ラインと、第二の接地点接続ラインとがアンテナの同じ側に配置される。
【０００８】
アンテナ付き端末は無線周波ユニットを含み、アンテナ付き端末の無線周波ユニットは上記アンテナを含む。
【０００９】
本発明の実施形態によって提供されるアンテナ及びアンテナ付き端末では、アンテナは、中間周波ブランチと、高周波ブランチと、低周波ブランチとを含み、中間周波ブランチと、高周波ブランチと、低周波ブランチとは互いに独立していて、高周波ブランチ及び低周波ブランチが中間周波ブランチを取り囲み、中間周波ブランチの上に給電点接続ラインが配置され、高周波ブランチの上に第一の接地点接続ラインが配置され、低周波ブランチの上に第二の接地点接続ラインが配置されて、低周波共振と、高周波共振と、中間周波共振の三つの共振が発生する。従って、非常に広い広帯域で共振が発生する。アンテナの反射損失を試験すると、図２に示されるような、三つの共振の間に明確なバンプの存在しない反射図が得られて、アンテナが、８２４ＭＨｚ〜９６０ＭＨｚの周波数帯及び１７１０ＭＨｚ〜２１７０ＭＨの周波数帯だけではなくて、９６０ＭＨｚ〜１７１０ＭＨｚの周波数帯でも動作することができる。
【図面の簡単な説明】
【００１０】
【図１】従来技術における反射損失試験を行ったアンテナのＳ１１図である。
【図２】本発明の一実施形態に係る反射損失試験を行ったアンテナのＳ１１図である。
【図３】本発明の一実施形態に係るアンテナの概略的な構造図１である。
【図４】本発明の一実施形態に係るアンテナの概略的な構造図２である。
【図５】本発明の他の実施形態に係るアンテナの概略的な構造図１である。
【図６】本発明の他の実施形態に係るアンテナの概略的な構造図２である。
【図７】本発明の他の実施形態に係るアンテナの概略的な構造図３である。
【図８】本発明の他の実施形態に係るアンテナの概略的な構造図３である。
【図９】本発明の実施形態に係る携帯電話の機能ブロック図である。
【発明を実施するための形態】
【００１１】
以下、本発明の実施形態の添付図面を参照して、本発明の実施形態の技術的解決策を明確且つ完全に説明する。勿論、詳細な実施形態は、本発明の実施形態の全てではなくて、単に一部である。本発明の実施形態に基づいて特に創作力を発揮せずに当業者によって得られる他の全ての実施形態も本発明の保護範囲内にあるものである。
【００１２】
９６０ＭＨｚと１７１０ＭＨｚの間の周波数に関連する応用を追加するためのアンテナ及びアンテナ付き端末を、本発明の実施形態は提供する。
【００１３】
図３に示されるように、本発明の一実施形態によって提供されるアンテナは、平面アンテナ１であり、中間周波ブランチ１１、高周波ブランチ１２及び低周波ブランチ１３を含み、中間周波ブランチ１１、高周波ブランチ１２及び低周波ブランチ１３は互いに独立していて、高周波ブランチ１２及び低周波ブランチ１３が中間周波ブランチ１１を取り囲み；  給電点接続ライン１１１が中間周波ブランチ１１上に配置され、第一の接地点接続ライン１２１が高周波ブランチ１２上に配置され、第二の接地点接続ライン１３１が低周波ブランチ１３上に配置され；  給電点接続ライン１１１、第一の接地点接続ライン１２１及び第二の接地点接続ライン１３１はアンテナ１の同じ側に配置されている。
【００１４】
更に、図４に示されるように、ブランチの面積を減らすため、中間周波ブランチ１１を、くりぬいた中空の中間周波ブランチにし得て、高周波ブランチ１２を中空の高周波ブランチにし得る。
【００１５】
本発明の実施形態によって提供されるアンテナにおいて、アンテナは、中間周波ブランチ、高周波ブランチ、及び低周波ブランチを含み、中間周波ブランチ、高周波ブランチ、及び低周波ブランチは互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置されるので、低周波共振、高周波共振、及び中間周波共振の三つの共振が生じる。アンテナの反射損失を試験すると、図２に示されるように、三つの共振の間に明確なバンプが存在しない反射図を得ることができて、アンテナが、８２４ＭＨｚ〜９６０ＭＨｚの周波数帯と、１７１０ＭＨｚ〜２１７０ＭＨの周波数帯で動作するだけでなく、９６０ＭＨｚ〜１７１０ＭＨｚの周波数帯でも動作することができる。
【００１６】
当業者が本発明の実施形態によって提供される技術的解決策をより明確に理解することができるようにするため、以下、本発明の実施形態によって提供されるアンテナを、特定の実施形態を通して、詳細に説明する。
【００１７】
図５に示されるように、本発明の他の実施形態によって提供されるアンテナについて、そのアンテナ１は平面アンテナであり、中間周波ブランチ１１、高周波ブランチ１２、及び低周波ブランチ１３を含み、中間周波ブランチ１１及び高周波ブランチ１２の両方が面状であり、低周波ブランチ１３が折れ線状である。
【００１８】
中間周波ブランチ１１、高周波ブランチ１２、及び低周波ブランチ１３は互いに独立していて、高周波ブランチ１２及び低周波ブランチ１３が中間周波ブランチ１１を取り囲み、給電点接続ライン１１１が中間周波ブランチ１１上に配置され、第一の接地点接続ライン１２１が高周波ブランチ１２上に配置され、第二の接地点接続ライン１３１が低周波ブランチ１３上に配置され、給電点接続ライン１１１と第一の接地点接続ライン１２１と第二の接地点接続ライン１３１とがアンテナの同じ側に配置される。
【００１９】
更に、アンテナの帯域幅をより良好にするため、突起１１２が、中間周波ブランチ１１上に配置されて、且つ、高周波ブランチ１２と低周波ブランチとの間に配置されることによって、高周波ブランチ１２を低周波ブランチ１３から分離して、ケーブル１１２が、給電点接続ライン１１１の反対側の中間周波ブランチ１１の一辺に配置される。
【００２０】
更に、ブランチの面積を減らすため、中間周波ブランチ１１が中空の中間周波ブランチとなり得て、高周波ブランチ１２が中空の高周波ブランチになり得る。
【００２１】
アンテナは、周囲に密接に関連したパッシブデバイスであり、中間周波ブランチ、高周波ブランチ、及び低周波ブランチが互いに独立していて、高周波ブランチ及び低周波ブランチが中間周波ブランチを取り囲み、給電点接続ライン、第一の接地点接続ライン及び第二の接地点接続ラインがアンテナの同じ側に配置されていることを前提とすると、アンテナの平坦構造が、アンテナが配置されている構造支持体の違いに密接に関連することに留意されたい。
【００２２】
アンテナの各ブランチの具体的な形状として、以下の実施形態のアンテナが挙げられるが、これらに限られるものではない。
【００２３】
（１）アンテナは、中間周波ブランチ、高周波ブランチ、及び低周波ブランチを含み、中間周波ブランチ及び高周波ブランチの両方が細長の面状であり、中間周波ブランチ、高周波ブランチ、及び低周波ブランチが互いに独立していて、高周波ブランチ及び低周波ブランチが中間周波ブランチを取り囲む。給電点接続ラインは中間周波ブランチ上に配置され、第一の接地点接続ラインは高周波ブランチ上に配置され、第二の接地点接続ラインは低周波ブランチ上に配置され、給電点接続ライン、第一の接地点接続ライン、及び第二の接地点接続ラインはアンテナの同じ側に配置される。
【００２４】
中間周波ブランチ及び高周波ブランチの両方が細長の面状である場合、アンテナの各ブランチの具体的な形状として以下の実施形態のアンテナが挙げられるが、これに限定されるものではない。
【００２５】
（ａ）図６に示されるように、中間周波ブランチ１１及び高周波ブランチ１２の両方が矩形であり、中間周波ブランチ１１及び高周波ブランチ１２が隣り合って配置されて、中間周波ブランチ１１の短辺が、高周波ブランチ１２の長辺に対応している。低周波ブランチ１３は折れ線状であり、折れ線状の低周波ブランチ１３が、直線状の底辺を備えたＵ字型となり得ることによって、低周波ブランチ及び高周波ブランチがその中に中間周波ブランチを取り囲むという目的を達成する。
【００２６】
この実施形態で、図６に示されるアンテナの効率試験を行うと、表１に示されるようなアンテナ効率表１が得られる。
【００２７】
【表１】
2013543354.tif 000003
【００２８】
（ｂ）図７に示されるように、細長の面状として、直角を有する台形及び矩形が挙げられる。この場合、中間周波ブランチ１１が台形であり、高周波ブランチ１２が矩形であり、中間周波ブランチの直角を挟む辺（レッグ）が、高周波ブランチの長辺に隣接する。低周波ブランチ１３はＵ字型であり、Ｕ字の底辺は、中間周波ブランチ１１の斜辺に平行になり得る。このようにして、接地からの距離が長い領域を有効に使用することができる。
【００２９】
図７に示されるアンテナに効率試験を行うと、その試験結果は表２に示されるようなものになる。
【００３０】
【表２】
2013543354.tif 000004
【００３１】
表１及び表２によると、アンテナの８２４ＭＨｚ〜２１７０ＭＨの動作効率が全て４０％以上であり、アンテナが８２４ＭＨｚ〜９６０ＭＨｚの周波数帯及び１７１０ＭＨｚ〜２１７０ＭＨの周波数帯だけではなくて、９６０ＭＨｚ〜１７１０ＭＨｚの周波数帯でも動作することが確認できる。
【００３２】
中間周波ブランチが細長の面状の場合、低周波ブランチに隣接する中間周波ブランチの一辺は、弧状又は折れ線状（ここでは図示せず）となり得る。
【００３３】
（２）図８に示されるように、アンテナ１は、中間周波ブランチ１１、高周波ブランチ１２、及び低周波ブランチ１３を含み、中間周波ブランチ１１は正方形であり、高周波ブランチ１２は細長の面状であり、低周波ブランチ１３は折れ線状であり、中間周波ブランチ１１、高周波ブランチ１２及び低周波ブランチ１３が互いに独立していて、中間周波ブランチ１１及び高周波ブランチ１２が隣り合って配置されて、中間周波ブランチ１１の一辺が、高周波ブランチ１２の長辺に隣接して、高周波ブランチ１２及び低周波ブランチ１３が中間周波ブランチ１１を取り囲む。給電点接続ライン１１が中間周波ブランチ１１上に配置され、第一の接地点接続ライン１２１が高周波ブランチ１２上に配置され、第二の接地点接続ライン１３１が低周波ブランチ１３上に配置され、給電点接続ライン１３１、第一の接地点接続ライン１２１及び第二の接地点接続ライン１３１がアンテナ１の同じ側に配置される。
【００３４】
更に、上述の各実施形態において、低周波ブランチ１３は、折れ線状の代わりに、弧状の底辺を備えたＵ字型にもなり得る。
【００３５】
本発明の実施形態によって提供されるアンテナでは、そのアンテナは、中間周波ブランチ、高周波ブランチ、及び低周波ブランチを含み、中間周波ブランチ、高周波ブランチ、及び低周波ブランチが互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置されるので、低周波共振、高周波共振、及び中間周波共振の三つの共振が生じる。従って、非常に広い広帯域で共振が発生して、これら三つの共振間に明確なバンプは存在せず、アンテナが、８２４ＭＨｚ〜９６０ＭＨｚの周波数帯、及び１７１０ＭＨｚ〜２１７０ＭＨの周波数帯だけではなく、９６０ＭＨｚ〜１７１０ＭＨｚの周波数帯でも動作することができる。
【００３６】
本発明の実施形態によって提供されるアンテナ付き端末は、無線周波ユニットを含む。そのアンテナ付き端末の無線周波ユニットは、アンテナを含み、そのアンテナは、中間周波ブランチ、高周波ブランチ、及び低周波ブランチを含み、中間周波ブランチ、高周波ブランチ、及び低周波ブランチが互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置され、給電点接続ライン、第一の接地点接続ライン、及び第二の接地点接続ラインがアンテナの同じ側に配置される。
【００３７】
この実施形態では、中間周波ブランチ及び高周波ブランチの両方が面状であり、低周波ブランチが折れ線状である。
【００３８】
図９に示されるように、携帯電話端末を例にとると、従来の携帯電話端末は主に、ＣＰＵ（ｃｅｎｔｒａｌ  ｐｒｏｃｅｓｓｉｎｇ  ｕｎｉｔ，中央処理装置）と、無線周波ユニットと、ベースバンド回路とを含み、無線周波ユニット及びベースバンド回路がＣＰＵに接続される。更に、従来の携帯電話端末は、ＣＰＵに接続されたＳＩＭカードと、ストレージデバイス（ＦＬＡＳＨ、ＲＡＭ等）、ショートメッセージモジュール、ＬＣＤディスプレイスクリーン等を含む。本発明の実施形態の携帯電話は上記アンテナ構造を採用している。
【００３９】
本発明の実施形態によって提供されるアンテナ付き端末では、アンテナは、中間周波ブランチ、高周波ブランチ、及び低周波ブランチを含み、中間周波ブランチ、高周波ブランチ、及び低周波ブランチは互いに独立していて、給電点接続ラインが中間周波ブランチ上に配置され、第一の接地点接続ラインが高周波ブランチに配置され、第二の接地点接続ラインが低周波ブランチに配置されるので、低周波共振、高周波共振、及び中間周波共振の三つの共振が生じる。従って、非常に広い広帯域で共振が発生して、これら三つの共振間に明確なバンプは存在せず、アンテナが、８２４ＭＨｚ〜９６０ＭＨｚの周波数帯、及び１７１０ＭＨｚ〜２１７０ＭＨの周波数帯だけではなく、９６０ＭＨｚ〜１７１０ＭＨｚの周波数帯でも動作することができる。
【００４０】
本発明の実施形態によって提供されるアンテナ及びアンテナ付き端末は、通信用にアンテナを用いるデバイスに適用可能である。
【００４１】
上記記載は、本発明の単に具体的な実施形態であって、本発明の保護範囲を限定するものではない。本発明で開示される技術的範囲内において当業者に容易に考え出される変形及び置換は、本発明の保護範囲内にあるものである。従って、本発明の保護範囲は、特許請求の範囲によるものである。
【符号の説明】
【００４２】
１  平面アンテナ
１１  中間周波ブランチ
１２  高周波ブランチ
１３  低周波ブランチ
１１１  給電点接続ライン
１２１  第一の接地点接続ライン
１３１  第二の接地点接続ライン
【図１】
2013543354.tif 000005
【図２】
2013543354.tif 000006
【図３】
2013543354.tif 000007
【図４】
2013543354.tif 000008
【図５】
2013543354.tif 000009
【図６】
2013543354.tif 000010
【図７】
2013543354.tif 000011
【図８】
2013543354.tif 000012
【図９】
2013543354.tif 000013
【手続補正書】
【提出日】平成25年6月19日(2013.6.19)
【手続補正１】
【補正対象書類名】明細書
【補正対象項目名】０００９
【補正方法】変更
【補正の内容】
【０００９】
本発明の実施形態によって提供されるアンテナ及びアンテナ付き端末では、アンテナは、中間周波ブランチと、高周波ブランチと、低周波ブランチとを含み、中間周波ブランチと、高周波ブランチと、低周波ブランチとは互いに独立していて、高周波ブランチ及び低周波ブランチが中間周波ブランチを取り囲み、中間周波ブランチの上に給電点接続ラインが配置され、高周波ブランチの上に第一の接地点接続ラインが配置され、低周波ブランチの上に第二の接地点接続ラインが配置されて、低周波共振と、高周波共振と、中間周波共振の三つの共振が発生する。従って、非常に広い広帯域で共振が発生する。アンテナの反射損失を試験すると、図２に示されるような、三つの共振の間に明確なバンプの存在しない反射図が得られて、アンテナが、８２４ＭＨｚ〜９６０ＭＨｚの周波数帯及び１７１０ＭＨｚ〜２１７０ＭＨｚの周波数帯だけではなくて、９６０ＭＨｚ〜１７１０ＭＨｚの周波数帯でも動作することができる。
【手続補正２】
【補正対象書類名】明細書
【補正対象項目名】００１５
【補正方法】変更
【補正の内容】
【００１５】
本発明の実施形態によって提供されるアンテナにおいて、アンテナは、中間周波ブランチ、高周波ブランチ、及び低周波ブランチを含み、中間周波ブランチ、高周波ブランチ、及び低周波ブランチは互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置されるので、低周波共振、高周波共振、及び中間周波共振の三つの共振が生じる。アンテナの反射損失を試験すると、図２に示されるように、三つの共振の間に明確なバンプが存在しない反射図を得ることができて、アンテナが、８２４ＭＨｚ〜９６０ＭＨｚの周波数帯と、１７１０ＭＨｚ〜２１７０ＭＨｚの周波数帯で動作するだけでなく、９６０ＭＨｚ〜１７１０ＭＨｚの周波数帯でも動作することができる。
波数帯でも動作することができる。
【手続補正３】
【補正対象書類名】明細書
【補正対象項目名】００３１
【補正方法】変更
【補正の内容】
【００３１】
表１及び表２によると、アンテナの８２４ＭＨｚ〜２１７０ＭＨｚの動作効率が全て４０％以上であり、アンテナが８２４ＭＨｚ〜９６０ＭＨｚの周波数帯及び１７１０ＭＨｚ〜２１７０ＭＨｚの周波数帯だけではなくて、９６０ＭＨｚ〜１７１０ＭＨｚの周波数帯でも動作することが確認できる。
【手続補正４】
【補正対象書類名】明細書
【補正対象項目名】００３５
【補正方法】変更
【補正の内容】
【００３５】
本発明の実施形態によって提供されるアンテナでは、そのアンテナは、中間周波ブランチ、高周波ブランチ、及び低周波ブランチを含み、中間周波ブランチ、高周波ブランチ、及び低周波ブランチが互いに独立していて、高周波ブランチ及び低周波ブランチが中間周波ブランチを取り囲み、給電点接続ラインが中間周波ブランチ上に配置され、第一の接地点接続ラインが高周波ブランチ上に配置され、第二の接地点接続ラインが低周波ブランチ上に配置されるので、低周波共振、高周波共振、及び中間周波共振の三つの共振が生じる。従って、非常に広い広帯域で共振が発生して、これら三つの共振間に明確なバンプは存在せず、アンテナが、８２４ＭＨｚ〜９６０ＭＨｚの周波数帯、及び１７１０ＭＨｚ〜２１７０ＭＨｚの周波数帯だけではなく、９６０ＭＨｚ〜１７１０ＭＨｚの周波数帯でも動作することができる。
【手続補正５】
【補正対象書類名】明細書
【補正対象項目名】００３９
【補正方法】変更
【補正の内容】
【００３９】
本発明の実施形態によって提供されるアンテナ付き端末では、アンテナは、中間周波ブランチ、高周波ブランチ、及び低周波ブランチを含み、中間周波ブランチ、高周波ブランチ、及び低周波ブランチは互いに独立していて、給電点接続ラインが中間周波ブランチ上に配置され、第一の接地点接続ラインが高周波ブランチに配置され、第二の接地点接続ラインが低周波ブランチに配置されるので、低周波共振、高周波共振、及び中間周波共振の三つの共振が生じる。従って、非常に広い広帯域で共振が発生して、これら三つの共振間に明確なバンプは存在せず、アンテナが、８２４ＭＨｚ〜９６０ＭＨｚの周波数帯、及び１７１０ＭＨｚ〜２１７０ＭＨｚの周波数帯だけではなく、９６０ＭＨｚ〜１７１０ＭＨｚの周波数帯でも動作することができる。
【手続補正６】
【補正対象書類名】特許請求の範囲
【補正対象項目名】全文
【補正方法】変更
【補正の内容】
【特許請求の範囲】
【請求項１】
平面アンテナ状のアンテナであって、中間周波ブランチと、高周波ブランチと、低周波ブランチとを備え、前記中間周波ブランチと、前記高周波ブランチと、前記低周波ブランチとが互いに独立していて、前記高周波ブランチ及び前記低周波ブランチが前記中間周波ブランチを取り囲み、給電点接続ラインが前記中間周波ブランチ上に配置されていて、第一の接地点接続ラインが前記高周波ブランチ上に配置されていて、第二の接地点接続ラインが前記低周波ブランチ上に配置されていて、前記給電点接続ラインと、前記第一の接地点接続ラインと、前記第二の接地点接続ラインとがアンテナの同じ側に配置されている、アンテナ。
【請求項２】
前記中間周波ブランチ及び前記高周波ブランチの両方が面状であり、前記低周波ブランチが弧状の底辺備えたＵ字型、又は折れ線状である、請求項１に記載のアンテナ。
【請求項３】
前記中間周波ブランチ及び前記高周波ブランチの両方が細長の面状であり、前記中間周波ブランチ及び前記高周波ブランチが隣り合って配置されていて、前記中間周波ブランチの長辺が、前記高周波ブランチの長辺に隣接している、請求項２に記載のアンテナ。
【請求項４】
前記中間周波ブランチが正方形であり、前記高周波ブランチが細長の面状であり、前記中間周波ブランチ及び前記高周波ブランチが隣り合って配置され、前記中間周波ブランチの一辺が、前記高周波ブランチの長辺に隣接している、請求項２に記載のアンテナ。
【請求項５】
前記中間周波ブランチが中空の中間周波ブランチである、請求項１から４のいずれか一項に記載のアンテナ。
【請求項６】
前記高周波ブランチが中空の高周波ブランチである、請求項５に記載のアンテナ。
【請求項７】
突起が、前記高周波ブランチと前記低周波ブランチとの間において前記中間周波ブランチ上に配置されて、前記突起が、前記給電点接続ラインの反対側の前記中間周波ブランチの一辺に配置されている、請求項１から４のいずれか一項に記載のアンテナ。
【請求項８】
突起が、前記高周波ブランチと前記低周波ブランチとの間において前記中間周波ブランチ上に配置されて、前記突起が、前記給電点接続ラインの反対側の前記中間周波ブランチの一辺に配置されている、請求項６に記載のアンテナ。
【請求項９】
無線周波ユニットを備えたアンテナ付き端末であって、前記無線周波ユニットが請求項１から８のいずれか一項に記載のアンテナを備える、アンテナ付き端末。
【国際調査報告】
2013543354.tif 000014
2013543354.tif 000015
2013543354.tif 000016
2013543354.tif 000017